(57)【特許請求の範囲】
【請求項１】
第一位置と第二位置の間を移動可能な駆動体が設けられた遊技機であって、
遊技が行われる設置状態時において、前記駆動体を前記第一位置と前記第二位置の間を移動させる駆動源と、
前記設置状態と異なる所定状態時において、前記駆動源の動力を用いずに前記駆動体を前記第一位置に移動させる移動調整手段と、
を備え、
前記第一位置は前記第二位置よりも上方に位置し、
前記移動調整手段は、前記第一位置に位置しない前記駆動体を第一位置の方向に付勢する付勢部材を有し、
前記設置状態時においては、前記駆動体の自重によって前記付勢部材にかかる力が前記付勢部材の付勢力よりも大きく、
前記所定状態時においては、前記駆動体の自重によって前記付勢部材にかかる力が前記付勢部材の付勢力よりも小さいことを特徴とする遊技機。
【請求項２】
前記設置状態時において、前記移動調整手段による前記駆動体の前記第一位置への移動を抑制する抑制手段を備えることを特徴とする請求項１に記載の遊技機。
【請求項３】
前記設置状態は、前記駆動体の移動方向が水平方向に対して垂直方向となる状態であり、
前記所定状態は、前記駆動体の移動方向が水平方向、あるいは水平方向に対して所定の角度に傾斜して、前記設置状態よりも水平に近い状態であることを特徴とする請求項１または請求項２に記載の遊技機。
【請求項４】
遊技機本体側には前記駆動体の幅方向両側に設けられた被ガイド部が係合するガイド部を有する固定体が設けられ、前記駆動体は前記ガイド部に案内されて前記第一位置と前記第二位置の間を移動可能に構成されており、
前記移動調整手段は、前記駆動体の幅方向右側に接続された第一付勢部材と、前記駆動体の幅方向左側に接続された第二付勢部材と、を有することを特徴とする請求項１から請求項３のいずれか一項に記載の遊技機。
【請求項５】
前記第一付勢部材および前記第二付勢部材は、ともに伸縮方向が幅方向となるように、かつ、互いに幅方向で重なるように配置されていることを特徴とする請求項４に記載の遊技機。
【請求項６】
前記第一付勢部材および前記第二付勢部材は、前記第一位置に位置する前記駆動体と遊技盤の平面方向で重なるように配置されていることを特徴とする請求項５に記載の遊技機。
【請求項７】
前記駆動源は前記駆動体に固定されており、
前記駆動源の動力は、前記駆動源に設けられたピニオンおよびこのピニオンに噛合する遊技機本体側に設けられたラックを介して前記駆動体に伝達されることを特徴とする請求項１から請求項６のいずれか一項に記載の遊技機。
【発明の詳細な説明】
【技術分野】
【０００１】
本発明は、パチンコ遊技機などの遊技機に関し、さらに詳しくは、遊技の進行状況などに応じて遊技を演出する駆動体が設けられた遊技機に関するものである。
【背景技術】
【０００２】
特許文献１には、表示板が、その全体が視認可能な位置から完全に覆われる位置まで移動可能に設けられた遊技機が記載されている。このように、モータなどの駆動源によって、ある位置（第一位置）とそのある位置とは異なる位置（第二位置）の間を移動する駆動体（役物）を備える遊技機が公知である。
【先行技術文献】
【特許文献】
【０００３】
【特許文献１】特開２００２−１７７４８０号公報
【発明の概要】
【発明が解決しようとする課題】
【０００４】
しかし、従来の構成の駆動体は、所定の作業、出荷等状況において第一位置に位置していることが好ましい状況であるにも拘わらず、第二位置のまま放置されて不都合が生じるおそれがあった。
【０００５】
上記問題に鑑みて、本発明が解決しようとする課題は、第一位置と第二位置の間を移動可能に設けられた駆動体を備える遊技機において、駆動体が所定位置（第一位置）以外の位置に位置させた状態のまま放置されることを抑制することにある。
【課題を解決するための手段】
【０００６】
上記課題を解決するために本発明は、第一位置と第二位置の間を移動可能な駆動体が設けられた遊技機であって、遊技が行われる設置状態時において、前記駆動体を前記第一位置と前記第二位置の間を移動させる駆動源と、前記設置状態と異なる所定状態時において、前記駆動源の動力を用いずに前記駆動体を前記第一位置に移動させる移動調整手段と、を備え、前記第一位置は前記第二位置よりも上方に位置し、前記移動調整手段は、前記第一位置に位置しない前記駆動体を第一位置の方向に付勢する付勢部材を有し、前記設置状態時においては、前記駆動体の自重によって前記付勢部材にかかる力が前記付勢部材の付勢力よりも大きく、前記所定状態時においては、前記駆動体の自重によって前記付勢部材にかかる力が前記付勢部材の付勢力よりも小さいことを要旨とする。
【０００７】
この場合、前記設置状態時において、前記移動調整手段による前記駆動体の前記第一位置への移動を抑制する抑制手段を備えていればよい。
【０００８】
また、前記設置状態は、前記駆動体の移動方向が水平方向に対して垂直方向となる状態であり、前記所定状態は、前記駆動体の移動方向が水平方向、あるいは水平方向に対して所定の角度に傾斜して、前記設置状態よりも水平に近い状態であればよい。
【０００９】
またこの場合、遊技機本体側には前記駆動体の幅方向両側に設けられた被ガイド部が係合するガイド部を有する固定体が設けられ、前記駆動体は前記ガイド部に案内されて前記第一位置と前記第二位置の間を移動可能に構成されており、前記移動調整手段は、前記駆動体の幅方向右側に接続された第一付勢部材と、前記駆動体の幅方向左側に接続された第二付勢部材と、を有していればよい。
【００１０】
またこの場合、前記第一付勢部材および前記第二付勢部材は、ともに伸縮方向が幅方向となるように、かつ、互いに幅方向で重なるように配置されていればよい。
【００１１】
またこの場合、前記第一付勢部材および前記第二付勢部材は、前記第一位置に位置する前記駆動体と遊技盤の平面方向で重なるように配置されていればよい。
【００１２】
また、前記駆動源は前記駆動体に固定されており、前記駆動源の動力は、前記駆動源に設けられたピニオンおよびこのピニオンに噛合する遊技機本体側に設けられたラックを介して前記駆動体に伝達される構成であればよい。
【発明の効果】
【００１３】
本発明にかかる遊技機は、設置状態と異なる所定状態時（検査などをする際における遊技機の状態）において、駆動源の動力を用いずに駆動体を第一位置に移動させる移動調整手段を備える。したがって、遊技機の検査などをする際に、作業者が駆動体を第一位置から第一位置以外の位置（例えば第二位置）に移動させた状態のままにした場合であっても、移動調整手段によって駆動体が第一位置に戻る。つまり、駆動体が第一位置以外の位置に位置した状態のまま放置されることを抑制することができる。
そして、移動調整手段の構成要素として駆動体を第一位置の方向に付勢する付勢部材を採用する場合、設置状態時における駆動体の自重によって付勢部材にかかる力を付勢部材の付勢力よりも大きくすれば、設置状態時において駆動体がその自重により第二位置の方向に移動してしまうことを抑制することができる。
【００１４】
また、設置状態時において、移動調整手段による駆動体の第一位置への移動を抑制する抑制手段が設けられていれば、振動等などにより設置状態時（遊技中）に移動調整手段によって駆動体が第一位置に戻ってしまうことを抑制することができる。
【００１５】
また、前記所定状態を、駆動体の移動方向が水平方向、あるいは水平方向に対して所定の角度に傾斜して、前記設置状態よりも水平に近い状態とすれば、遊技機の検査などを行う（検査が行いやすい）水平状態あるいは水平に近い状態において、駆動体が第一位置以外の位置に位置した状態のまま放置されることを抑制することができる。
【００１６】
また、駆動体がその幅方向両側をガイド部に支持されて第一位置と第二位置の間を移動可能に構成されている場合に、幅方向右側に接続された第一付勢部材と、駆動体の幅方向左側に接続された第二付勢部材とによって駆動体が第一位置の方向に付勢された構成とすれば、駆動体の幅方向両側が付勢部材に付勢された状態となるから、前記所定状態において前記駆動体はスムーズに第一位置に戻る。
【００１７】
またこの場合に、第一付勢部材および第二付勢部材が、ともに伸縮方向が幅方向となるように、かつ、互いに幅方向で重なるように配置されていれば、移動調整手段（第一付勢部材および第二付勢部材）の配置スペースを小さくすることができる。  
【００１８】
さらにこの場合に、第一付勢部材および前記第二付勢部材が、第一位置に位置する駆動体と遊技盤の平面方向で重なるように配置されていれば、駆動体および移動調整手段（第一付勢部材および第二付勢部材）の配置スペースを小さくすることができる。
【００１９】
また、駆動源の動力がいわゆるラック＆ピニオンにより駆動体に伝達される構成とすれば、前記所定状態において移動調整手段によって駆動体が勢いよく第一位置の方向に移動してしまうことを抑制することができる。すなわち、検査などにおいて駆動体が第一位置以外の位置に位置した状態のまま放置された場合、ラックとピニオンの係合による抵抗によって駆動体はゆっくりと第一位置に戻るから、遊技機を構成する部材の破損等を抑制することができる。
【図面の簡単な説明】
【００２０】
【図１】本発明の一実施形態にかかる遊技機の正面図である。
【図２】図１に示した遊技機が備える遊技盤の正面図であり、駆動体が第一位置に位置している状態を示したものである。
【図３】図１に示した遊技機が備える遊技盤の正面図であり、駆動体が第二位置に位置している状態を示したものである。
【図４】図１に示した遊技機が備えるセンター役物装置を分解して前方から見た斜視図である。
【図５】図１に示した遊技機が備えるセンター役物装置を分解して後方から見た斜視図である。
【図６】図１に示した遊技機が備えるセンター役物装置の正面図であり、駆動体が第一位置に位置している状態を示したものである。
【図７】図１に示した遊技機が備えるセンター役物装置の正面図であり、駆動体が第二位置に位置している状態を示したものである。
【図８】図１に示した遊技機が備えるセンター役物装置の背面図であり、駆動体が第一位置に位置している状態を示したものである。
【図９】図１に示した遊技機が備えるセンター役物装置の背面図であり、駆動体が第二位置に位置している状態を示したものである。
【図１０】所定状態（水平状態）にあるセンター役物装置を前方から見た斜視図であり、駆動体が第二位置に位置している状態を示したものである。
【図１１】所定状態（水平状態）にあるセンター役物装置を後方から見た斜視図であり、駆動体が第二位置に位置している状態を示したものである。
【図１２】所定状態（水平状態）にあるセンター役物装置を前方から見た斜視図であり、駆動体が第一位置に位置している状態を示したものである。
【図１３】所定状態（水平状態）にあるセンター役物装置を後方から見た斜視図であり、駆動体が第一位置に位置している状態を示したものである。
【発明を実施するための形態】
【００２１】
以下、本発明にかかる実施形態について図面を参照して詳細に説明する。なお、以下の説明において単に前側（前方）とは遊技機１正面側のことであり、単に後側（後方）とは遊技機１の背面側のことである。また、単に左側、右側、上側、下側とは、遊技機１を正面から見た場合の左側、右側、上側、下側のことであり、図１における左側、右側、上側、下側を指す。また、単に幅方向とは、遊技機１の幅方向のことであり、図１における左右方向を指し、単に平面方向とは遊技盤９０の平面方向を指す。
【００２２】
（遊技機の全体構成）
まず、遊技機１の全体構成について簡単に説明する。図１に示されるように、遊技機１は、所定の奥行きを有する額縁形状の機枠８０を備える。この機枠８０には前面枠８１が取り付けられている。前面枠８１は、その左側縁が機枠８０に回動自在に支持され、前側に開閉可能である。また、前面枠８１には、ガラス枠８２が取り付けられている。ガラス枠８２は、その左側縁が前面枠８１に回動自在に支持され、前側に開閉可能である。
【００２３】
ガラス枠８２の中央の開口部にはガラス板またはプラスチック板等の透明な板が設けられており、遊技者はこの透明な板を通して前側から遊技盤９０を視認できる。また、ガラス枠８２の下部には、払い出された遊技球を発射装置に送るまで貯めておく上皿ユニット８３が設けられている。上皿ユニット８３には、貯留されている遊技球を下皿ユニット８５に流下させる上皿スイッチや、貸し出し可能な貸し球を払い出す球貸しスイッチ等が設けられている。また、ガラス枠８２の上部左右両側には、スピーカ８４が設けられている。
【００２４】
前面枠８１の下部には、払い出された遊技球が上皿ユニット８３に入りきらない場合等に遊技球を貯めることができる下皿ユニット８５や、遊技球を発射操作するためのタッチスイッチを備える発射ハンドル８６等が設けられている。下皿ユニット８５の左側には、表示装置９２に表示される演出に応じて遊技者が操作を行う遊技スイッチ８７が設けられている。
【００２５】
図２および図３に示す遊技盤９０は、ほぼ正方形の合板により成形されており、前面枠８１に着脱可能に取り付けられている。この遊技盤９０には、発射装置から発射された遊技球をガイドする金属製の薄板からなる帯状のガイドレール９２が略円弧形状に設けられており、このガイドレール９２によって遊技領域の外郭の一部が形成されている。
【００２６】
遊技盤９０の遊技領域には、表示装置９２、始動入賞口９３１、大入賞口９３２、アウト口９３３などが設けられている。表示装置９２は、液晶表示装置９２が用いられており、表示装置９２の表示画面において特別図柄や普通図柄等が表示される。かかる表示装置９２の表示画面は、遊技盤９０に形成された開口を通じて視認可能である。
【００２７】
また、遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００２８】
さらに、表示装置９２の表示部の前側の周囲には、遊技の装飾効果（演出効果）を高めるためのセンター役物装置２が設けられている。センター役物装置２は、遊技機１本体に固定される固定体１０と、この固定体１０に係合された上下方向に移動可能な駆動体２０とを備える。本実施形態では、かかる駆動体２０をその移動可能な範囲内において上下動させることにより、遊技の演出効果が高められている。かかるセンター役物装置２の構成の詳細については後述する。
【００２９】
なお、図示しないが、遊技機１の背面側には、枠用外部端子基板、表示制御基板、主制御基板、音声制御基板、ランプ制御基板、払出制御基板、発射制御基板、電源基板等の各種基板、カードインターフェース接続部、球寄せ、球タンク、タンクレール、払出装置、発射装置等の各種の遊技機構成部材が設けられている。なお、以下の説明では、主制御基板等の遊技機１の制御を行う構成を一括りに制御手段と称する。
【００３０】
このような遊技機１では、発射ハンドル８６の操作により、発射装置から遊技領域に遊技球を発射し、遊技領域を流下する遊技球が、始動入賞口９３１や大入賞口９３２等の入賞口に入賞すると、所定の数の賞球が払出装置により払い出される。その他、大当たりの抽選方法等は、公知である種々の遊技機の制御方法が適用できるため、説明は省略する。
【００３１】
（センター役物装置の構成）
以下、遊技機１が備えるセンター役物装置２の構成について図３〜図１３を参照して詳細に説明する。センター役物装置２は、遊技機１本体側に固定された固定体１０と、この固定体１０に係合されて上下方向に移動可能である駆動体２０と、駆動体２０を移動させる駆動源３０と、駆動体２０に作用する移動調整手段４０（付勢部材）と、移動調整手段４０による駆動体２０への作用を抑制する抑制手段と、を備える。
【００３２】
固定体１０は、遊技機１本体側に固定された動くことのない部材である。固定体１０は、ベース部材１１および駆動体誘導部材１２を備える。固定体１０のベース部材１１は、平面視略「コ」の字型（略「Ｕ」字型）に形成された部材である。具体的には、幅方向に延びる付勢部材収容部１１１と、この付勢部材収容部１１１の両端から下方に延びるレール部１１２とを有する。かかるレール部１１２は、付勢部材収容部１１１（表示装置９２）を幅方向に二分する中央線Ｘ（以下単に中央線Ｘと称する）を対称軸として対称となるように設けられている。
【００３３】
また、ベース部材１１の付勢部材収容部１１１には、幅方向に沿うスライド溝が二つ形成されている。図７〜図９等から分かるように、一方のスライド溝（第一スライド溝１１１１）は、他方のスライド溝（第二スライド溝１１１２）よりも上方に形成されている。一方のスライド溝の幅方向位置と他方のスライド溝の幅方向位置は、中央線Ｘを対称軸として対称である。各スライド溝１１１１、１１１２には、付勢部材誘導体（第一付勢部材誘導体１１３および第二付勢部材誘導体１１５）が幅方向にスライド自在に係合されている。各付勢部材誘導体１１３、１１５には、移動滑車（第一移動滑車１１４および第二移動滑車１１６）が固定されている。すなわち、各付勢部材誘導体１１３、１１５とそれぞれに固定された移動滑車１１４、１１６は一体となって幅方向にスライドする。かかる付勢部材誘導体１１３、１１５の構成ならびに機能については後述する。
【００３４】
固定体１０の駆動体誘導部材１２は、所定の幅をもつ板状の部材である。駆動体誘導部材１２は、ベース部材１１のレール部１１２の前側に固定されている。すなわち、ベース部材１１と駆動体誘導部材１２は一体となっている。駆動体誘導部材１２の前側には、上下方向に延びるラック１２１が形成されている。また、ラック１２１が形成された面の反対側には、後方および幅方向外側に向かって開口した凹部１２２が形成されている。
【００３５】
ベース部材１１の付勢部材収容部１１１の背面側には、背面方向に向かって開口した空間１１１０が形成されており、かかる空間１１１０内に移動調整手段４０を構成する付勢部材（第一付勢部材４１および第二付勢部材４２）が幅方向に沿って設けられている。かかる付勢部材の取り付け構造の詳細については後述する。
【００３６】
ベース部材１１のレール部１１２の前側には、前方向および幅方向外側に向かって開口した凹部１１２１が形成されている。この凹部１１２１の前方側の開口を覆うように、レール部１１２に駆動体誘導部材１２が固定されている。これにより、レール部１１２の凹部１１２１と駆動体誘導部材１２の凹部１２２とが一体化されてなる、幅方向外側のみが開口した上下方向に延びる空間が形成される。かかる空間を含む部分が、駆動体２０を上下方向に案内するガイド部１３となる。
【００３７】
駆動体２０は、係合部材２１および係合部材２１の前側に固定された装飾部材２２を有する。係合部材２１および装飾部材２２は平面形状がほぼ同一であり、両者は前後方向に重なる（前方から見ると係合部材２１は装飾部材２２に覆われている）。係合部材２１の背面における幅方向両側には、ローラ２３１を有する被ガイド部材２３（被ガイド部）が取り付けられている。かかるローラ２３１は、固定体１０のガイド部１３（空間）に係合されている。具体的には、被ガイド部材２３（ローラ２３１）は、ベース部材１１のレール部１１２を幅方向外側から挟み込むようにガイド部１３（空間）に係合されている。ローラ２３１が係合したガイド部１３を構成する空間は、上述したように幅方向外側のみが開口しているから、一旦空間に係合したローラ２３１が外れてしまうことはない。かかる構成により、駆動源３０および移動調整手段４０の作用を受ける駆動体２０は、固定体１０のガイド部１３に案内されて上下方向に移動する。
【００３８】
装飾部材２２は、遊技の演出効果を高めるための部材である。本実施形態では、図示されないソレノイドを駆動源３０として五つの扉２２１が開操作される仕組みになっている。具体的には、ソレノイドを駆動する（励磁状態とする）と全ての扉２２１が開状態となり、ソレノイドをオフ状態とする（非励磁状態とする）と図示されないばねにより全ての扉２２１が閉状態となる仕組みである。ソレノイドは、係合部材２１と装飾部材２２の間に形成された右側の空間内に収容されている。装飾部材２２（扉２２１）は、駆動体２０が後述する第二位置に位置している状態において、遊技機１の制御手段により表示装置９２の表示画面とリンクして動作させられる。例えば、扉２２１を開放すると同時に表示画面における扉２２１が開放した領域に馬を表示させることにより、競馬において競走馬がスターティングゲートからスタートした瞬間を演出することができる。
【００３９】
駆動源３０は、遊技中に駆動体２０を上下方向に移動させるための構成である。本実施形態では、駆動源３０としてモータが用いられている。駆動源３０は、係合部材２１と装飾部材２２の間に形成された左側の空間内に収容されている。駆動源３０の出力軸にはピニオン３１（平歯車）が固定されている。このピニオン３１は、上記固定体１０（駆動体誘導部材１２）に設けられたラック１２１に噛合している。駆動源３０の動力は、このピニオン３１およびラック１２１を介して駆動体２０に伝達される。すなわち、駆動源３０の出力軸（ピニオン３１）を回転させると、被ガイド部材２３が係合したガイド部１３に案内されて、駆動体２０は上下方向に移動する（出力軸を一方に回転させれば駆動体２０は上方向に移動し、他方に回転させれば駆動体２０は下方向に移動する）。
【００４０】
なお、本実施形態では、駆動源３０であるモータは駆動体２０に固定されているため、駆動体２０とともに移動する。また、ソレノイドもともに移動する。すなわち、以下の説明における駆動体２０には、駆動源３０であるモータやソレノイドが含まれる。つまり、駆動体２０の重量には、係合部材２１や装飾部材２２の重さだけでなく、駆動源３０やソレノイド等、駆動体２０に固定された部材のの重量も含まれる。
【００４１】
このような駆動源３０によって移動する駆動体２０の移動範囲は、駆動体２０を上方に移動させる方向にピニオン３１がそれ以上回転することができない位置（以下、第一位置と称する）から、駆動体２０を下方に移動させる方向にピニオン３１がそれ以上回転することができないない位置（以下、第二位置と称する）までとなる。すなわち、第一位置が駆動体２０の移動可能範囲における上方端位置となり、第二位置が駆動体２０の移動可能範囲における下方端位置となる。本実施形態では、図２に示すように、第一位置は、駆動体２０が遊技盤９０に覆われて遊技者には駆動体２０が視認できない位置となっており、図３に示すように、第二位置は、遊技盤９０の開口を通じて駆動体２０が遊技者に視認できる位置となっている。つまり、第一位置は通常状態において駆動体２０が位置する原位置であり、第二位置は駆動体２０（装飾部材２２）が上述した所定の演出を行う演出位置である。
【００４２】
移動調整手段４０は、第一付勢部材４１および第二付勢部材４２（引っ張りコイルばね）を備える。各付勢部材４１、４２は、滑車に引っ掛けられたワイヤ（第一ワイヤ４３および第二ワイヤ４４）を介して駆動体２０に接続されている。
【００４３】
第一付勢部材４１は、次のように駆動体２０の右側に接続されている。第一付勢部材４１の一端（基端；左側端部）にはリング状の基端引掛部４１１が形成されている。かかる基端引掛部４１１は、固定体１０の付勢部材収容部１１１の空間１１１０における左側端部に設けられた基端引掛爪部１１１３に引っ掛けられている。第一付勢部材４１の他端（移動端；右側端部）にもリング状の移動端引掛部４１１が形成されている。かかる移動端引掛部４１１は、第一付勢部材誘導体１１３の移動端引掛爪部１１３１に引っ掛けられている。
【００４４】
上述したように、第一付勢部材誘導体１１３は第一移動滑車１１４とともに移動（第一スライド溝１１１１に沿ってスライド）する。第一移動滑車１１４には第一ワイヤ４３が係合されている。第一ワイヤ４３は、その基端（一端）が固定体１０の付勢部材収容部１１１の空間１１１０における右側に形成されたワイヤ基端引掛爪部１１１５に引っ掛けられている。基端がワイヤ基端引掛爪部１１１５に引っ掛けられた第一ワイヤ４３は、Ｕターンさせるように第一移動滑車１１４に係合されるとともに、付勢部材収容部１１１の右側に固定された第一固定滑車１１７に係合されている。第一ワイヤ４３は略９０度屈曲するように第一固定滑車１１７に係合され、移動端（他端）が駆動体２０の係合部材２１の右側に設けられたワイヤ移動端引掛爪部２１１に引っ掛けられている。
【００４５】
一方、第二付勢部材４２は、次のように駆動体２０の左側に接続されている。第二付勢部材４２の一端（基端；右側端部）にはリング状の基端引掛部４２１が形成されている。かかる基端引掛部４２１は、固定体１０の付勢部材収容部１１１の空間１１１０における右側端部に設けられた基端引掛爪部１１１４に引っ掛けられている。第二付勢部材４２の他端（移動端；左側端部）にもリング状の移動端引掛部４２２が形成されている。かかる移動端引掛部４２２は、第二付勢部材誘導体１１５の移動端引掛爪部１１５１に引っ掛けられている。
【００４６】
上述したように、第二付勢部材誘導体１１５は第二移動滑車１１６とともに移動（第二スライド溝１１１２に沿ってスライド）する。第二移動滑車１１６には第二ワイヤ４４が係合されている。第二ワイヤ４４は、その基端（一端）が固定体１０の付勢部材収容部１１１の空間１１１０における左側に形成されたワイヤ基端引掛爪部１１１６に引っ掛けられている。基端がワイヤ基端引掛爪部１１１６に引っ掛けられた第二ワイヤ４４は、Ｕターンさせるように第二移動滑車１１６に係合されるとともに、付勢部材収容部１１１の左側に固定された第二固定滑車１１８に係合されている。第二ワイヤ４４は略９０度屈曲するように第二固定滑車１１８に係合され、移動端（他端）が駆動体２０の係合部材２１の左側に設けられたワイヤ移動端引掛爪部２１２に引っ掛けられている。
【００４７】
このようにして第一付勢部材４１および第二付勢部材４２は、ワイヤを介して駆動体２０に接続されている。駆動体２０が第二位置に近づく方向（下方）に移動すると、ワイヤを介して第一付勢部材４１および第二付勢部材４２が伸張し、その収縮力により駆動体２０を第一位置に近づく方向（上方）に付勢する。駆動体２０が第二位置に近づけば近づくほどその付勢力は大きくなる。
【００４８】
本実施形態では、第一付勢部材４１および第二付勢部材４２は全く同一の構成の引っ張りばねである。また、上記のように所定位置に取り付けられた状態において、幅方向で見れば、第一付勢部材４１および第二付勢部材４２は中央線Ｘを対称軸として対称に位置する。また、付勢部材を取り付けるための部材（引掛爪部、滑車、ワイヤ等）も、第一付勢部材４１を取り付けるために用いた部材と第二付勢部材４２を取り付けるために用いた部材は全く同一の構成であり、幅方向で見れば、中央線Ｘを対称軸として対称に位置する。また、駆動体２０が第二位置に近づく方に移動した場合、第一付勢部材４１および第二付勢部材４２はほぼ同じだけ伸張するように設定されている。すなわち、駆動体２０の左側と右側には常にほぼ同じ付勢力が作用するように設定されている。
【００４９】
また、各図から明らかなように、第一付勢部材４１と第二付勢部材４２は、伸縮方向が幅方向であり、互いに平行かつ幅方向で重なる（第一付勢部材４１と第二付勢部材４２の両方が中央線Ｘと交差する）ように配置されている。つまり、本実施形態では、駆動体２０の移動方向が上下方向であるにも拘わらず、第一付勢部材４１と第二付勢部材４２を幅方向に重なるように配置した上で、上記滑車やワイヤ等を用いて付勢部材の付勢方向を上下方向に変換している。したがって、第一付勢部材４１と第二付勢部材４２を単純に上下方向に沿って配置した場合などと比較して、第一付勢部材４１と第二付勢部材４２の配置スペースが平面方向に小さくなる。
【００５０】
さらに本実施形態では、駆動体２０が第二位置まで移動し、第一付勢部材４１と第二付勢部材４２が最大の伸張状態にあるときには、付勢部材のほぼ全体が幅方向で重なるように構成されている。つまり、駆動体２０が第一位置に位置するときにおける各付勢部材４１、４２が他方の付勢部材４２、４１に幅方向で重なっていない部分の幅方向長さは、各付勢部材４１、４２の伸び代（伸縮長さ）とほぼ一致する。
【００５１】
また、駆動体２０が第一位置に位置するとき、駆動体２０は上記のように幅方向で重なるように配置された第一付勢部材４１と第二付勢部材４２に平面方向で重なる。つまり、遊技機１の前側から見れば、第一付勢部材４１と第二付勢部材４２は第一位置に位置する駆動体２０で覆われた状態となる。つまり、本実施形態では、第一付勢部材４１と第二付勢部材４２を幅方向に沿って配置した上で、これら付勢部材４１、４２に原位置に位置する駆動体２０が重なるように設定することで、遊技機１の前後方向（厚み方向）におけるスペースを有効に活用している。
【００５２】
抑制手段は、設置状態（詳細は後述）時における移動調整手段４０による駆動体２０の第一位置への移動を抑制する構成である。本実施形態では、駆動体２０が抑制手段としての機能も備えた構成となっている。つまり、設置状態における駆動体２０を第一位置の方向に付勢する移動調整手段４０の付勢力は、駆動体２０の自重に逆らって作用する力であるため、駆動体２０が、設置状態時における移動調整手段４０による駆動体２０の第一位置への移動を抑制する構成として機能する。
【００５３】
（センター役物装置の動作）
以下、上記構成を備える遊技機１におけるセンター役物装置２の動きについて説明する。まず、遊技機１が遊技が行われる設置状態にあるときにおけるセンター役物装置２の動きについて説明する。ここで「設置状態」とは、遊技機１が水平方向Ｌに対して垂直方向に起立した状態、すなわち遊技店などに設置された状態にあることをいい、駆動体２０の移動方向が当該垂直方向となる状態のことをいう。なお、ここでいう「垂直」には、水平方向Ｌに対して丁度９０度に傾斜した角度だけでなく、９０度に近い傾斜角度も含む。具体的には、少なくとも後述する「所定状態」よりも９０度に近い傾斜角度も含む。
【００５４】
通常状態において、駆動体２０は図２に示す原位置である第一位置に位置する。例えば大当たりの抽選結果等に基づき、特定の演出を発生させる命令（センター役物装置２を駆動させる命令）が生ずると、遊技機１の制御手段は、駆動源３０を駆動し第一位置にある状態の駆動体２０を移動させる。具体的には、出力軸に固定されたピニオン３１がラック１２１上を回転しつつ下方に移動するように駆動源３０の出力軸を一方に回転させる。これにより、駆動源３０とともに駆動体２０が第二位置の方向（下方）に移動する。
【００５５】
このとき、駆動体２０には、駆動体２０を第一位置の方向（上方）に移動させようとする移動調整手段４０（第一付勢部材４１および第二付勢部材４２）の付勢力が常に作用しているため、駆動源３０はこの付勢力に抗して駆動体２０を第二位置の方向に移動させる。つまり、駆動源３０の動力（モータのトルク）から移動調整手段４０の付勢力を差し引いた動力で駆動体２０は第二位置の方向に移動する。本実施形態では、この移動調整手段４０の付勢力を考慮して、駆動体２０の移動速度が任意の速度（遊技の演出に適した移動速度）となるように、駆動源３０の動力および移動調整手段４０の付勢力が設定されている。
【００５６】
そのまま下方に移動した駆動体２０は、図３に示す演出位置である第二位置に到達する。制御手段は、センサ（図示せず）等によって駆動体２０が第二位置に到達したことを検出する。その後、制御手段はソレノイドを駆動させ、装飾部材２２の扉２２１を開状態とし、これに併せて表示装置９２の表示画面に所定の映像を表示させる。所定時間経過後、制御手段はソレノイドをオフ状態とし、装飾部材２２の扉２２１を閉状態とする。これにより、装飾部材２２による演出動作が終了する。扉２２１を閉状態とした後、制御手段は駆動源３０の出力軸を他方に回転させる。これにより、駆動体２０が第一位置の方向（上方）に移動する。
【００５７】
このとき、駆動体２０には、駆動体２０を第一位置の方向（上方）に移動させようとする移動調整手段４０（第一付勢部材４１および第二付勢部材４２）の付勢力が常に作用しているため、駆動源３０の動力だけでなく移動調整手段４０の付勢力の作用を受けて駆動体２０が移動する。つまり、駆動体２０は、駆動源３０の動力と移動調整手段４０の付勢力を併せた動力によって移動するため、素早く原位置である第一位置に戻る。
【００５８】
駆動体２０が第一位置まで戻ったことをセンサ（図示せず）等により検出したこともって、センター役物装置２の動作は完了する。センター役物装置２は、次の動作指令が発生するまで第一位置（原位置）で待機する。
【００５９】
このように、遊技機１が設置状態にあるときには、駆動体２０は駆動源３０によって第一位置から第二位置、あるいは、第一位置から第二位置まで移動する。
【００６０】
次に、遊技機１が所定状態にあるときにおけるセンター役物装置２の動きについて説明する。ここで「所定状態」とは、遊技機１が水平方向Ｌに横たえられた状態、すなわち例えば遊技機１の検査などにおいて検査台に寝かせられた状態のことをいい、図１０〜図１３に示すように、駆動体２０の移動方向が当該水平方向Ｌとなる状態のことをいう。なお、ここでいう「水平」には、水平方向Ｌと完全に平行である（傾斜角度が０度である）角度だけでなく、水平に近い傾斜角度も含む。具体的には、少なくとも上記「設置状態」よりも水平に近い傾斜角度を含む。
【００６１】
上述したように、駆動体２０には、移動調整手段４０（第一付勢部材４１および第二付勢部材４２）の付勢力が常に作用している。本実施形態では、遊技機１が所定状態にある際、遊技機１の検査などにおいて駆動体２０を第一位置以外の位置に移動させてそのまま放置した場合であっても、移動調整手段４０の付勢力によって駆動体２０が第一位置に戻る。その理由は次の通りである。
【００６２】
駆動体２０が第一位置以外の位置（例えば図１０および図１１に示すような第二位置）に位置するときには、第一付勢部材４１および第二付勢部材４２は、それぞれ第一ワイヤ４３および第二ワイヤ４４を介して駆動体２０に接続されているため自然長よりも伸張した状態となる。したがって、これら第一付勢部材４１および第二付勢部材４２の収縮しようとする付勢力、すなわち第一位置に移動させようとする付勢力が駆動体２０に作用する。
【００６３】
かかる第一位置に駆動体２０を移動させようとする移動調整手段４０の付勢力に抗する力は、遊技機１が上記設置状態にあるときよりも小さくなる。遊技機１が水平あるいは水平に近い状態にあるため、移動調整手段４０による付勢方向の反対方向に作用する力（すなわち、移動調整手段４０によって移動する（移動しようとする）駆動体２０に対する抗力。以下この力を単に抗力と称する）が小さくなるからである。例えば、駆動体２０の移動方向が完全に水平方向Ｌである場合には、駆動体２０と固定体１０の間の抵抗力（被ガイド部材２３（ローラ２３１）とガイド部１３の摩擦力、ラック１２１とピニオン３１の摩擦力等）等のみが抗力となる。一方、駆動体２０の移動方向が水平方向Ｌに対して傾斜している場合には、上記摩擦力等の抵抗力に併せて、駆動体２０の自重を遊技機１の傾斜方向に分解した分力も抗力となる。
【００６４】
移動調整手段４０の付勢力は、かかる所定状態時における抗力よりも大きくなるように設定されている。したがって、遊技機１の検査などにおいて、駆動体２０を第二位置に移動させた場合など、駆動体２０を第一位置ではない位置に移動させた場合であっても、駆動体２０が当該第一位置ではない位置に留まった状態となることはなく、必ず駆動体２０が図１２および図１３に示す第一位置に移動する。
【００６５】
このように、遊技機１が所定状態にあるときには、駆動体２０は移動調整手段４０の付勢力のみによって第一位置ではない位置から第一位置まで移動する。
【００６６】
なお、遊技機１の検査は、遊技機１の電源がオン状態で行われることもあるし、オフ状態で行われることもある。遊技機１の電源がオン状態にある場合には、駆動源３０であるモータのディテントトルクも抗力となるため、この分を考慮に入れて移動調整手段４０の付勢力を設定することが好ましい。すなわち、遊技機１の電源がオン状態およびオフ状態のいずれにある場合であっても、遊技機１が所定状態にあるときには、駆動体２０が第一位置に移動するように設定するとよい。
【００６７】
一方、上述したように、駆動体２０は、設置状態時において移動調整手段４０による駆動体２０の第一位置への移動を抑制する抑制手段としても機能している。具体的には、移動調整手段４０の付勢力は、設置状態時における抗力よりも小さくなるように設定されているため、設置状態時において第一位置以外の位置に位置する駆動体２０が、移動調整手段４０の付勢力によって第一位置に移動することはない。つまり、設置状態では、抗力として作用する駆動体２０の自重を遊技機１の傾斜方向に分解した分力（傾斜角度が９０度であれば駆動体２０の自重の全てが抗力として作用する）が、所定状態にある場合よりも大きくなるため、当該駆動体２０の自重による抗力よりも移動調整手段４０の付勢力を小さく設定することで、駆動体２０自体を抑制手段として機能させている。
【００６８】
このように、本実施形態における移動調整手段４０の付勢力は、設置状態時における駆動体２０の自重による抗力よりも小さく、かつ、所定状態時における駆動体２０の自重による抗力よりも大きく設定されている。したがって、設置状態時においては移動調整手段４０の付勢力にみによって駆動体２０が移動することはない（駆動源３０の動力によって駆動体２０が移動する）が、所定状態時においては移動調整手段４０の付勢力のみによって駆動体２０が第一位置に移動する。
【００６９】
（本実施形態の主な作用効果）
以上説明した本発明にかかる遊技機１によれば、次のような作用効果が奏される。本実施形態にかかる遊技機１は、所定状態時において、駆動源３０の動力を用いずに駆動体２０を第一位置に移動させる移動調整手段４０を備える。したがって、遊技機１の検査などをする際に、作業者が駆動体２０を第一位置から第一位置以外の位置（例えば第二位置）に移動させた状態のままにした場合であっても、移動調整手段４０によって駆動体２０が第一位置に戻る。つまり、駆動体２０が第一位置以外の位置に位置した状態のまま放置されることを抑制することができる。
【００７０】
また、移動調整手段４０は、第一位置以外の位置に位置する駆動体２０を常に第一位置に移動する方向に付勢している。したがって、設置状態時において、振動等などにより駆動体２０が不意に第一位置に戻ってしまうおそれがある。これに対して本実施形態では、設置状態時において、駆動体２０が移動調整手段４０による駆動体２０の第一位置への移動を抑制する抑制手段としても機能している。つまり、駆動体２０の自重が抗力として機能している。そのため、設置状態時（遊技中）において、駆動体２０が不意に第一位置に戻ってしまうおそれを低減することができる。
【００７１】
なお、所定状態時における抗力よりも、設置状態時における抗力を大きくする構成であれば、抑制手段としてその他の構成を採用することもできる。例えば、駆動体２０が軽量であり、駆動体２０単体では抑制手段として十分な機能を果たし得ない場合には、駆動体２０に重錘を固定したものを抑制手段としてもよい。
【００７２】
また、本実施形態では、完全な水平状態、および、少なくとも設置状態よりも水平に近い状態を「所定状態」として設定している。つまり、遊技機１の検査などを行う（検査が行いやすい）水平状態あるいは水平に近い状態において、駆動体２０が第一位置以外の位置に留まってしまうことが抑制される。
【００７３】
また、一般的な遊技機では、駆動体２０（装飾部材２２）の演出動作が完了した後には、続けざまに次の映像が表示画面に表示されることとなるから、駆動体２０（装飾部材２２）を素早く原位置に戻すことが望ましい。つまり、本実施形態のように、第一位置が駆動体２０の原位置でであり、第二位置が駆動体２０（装飾部材２２）が遊技者に視認可能な場所で所定の演出を行う演出位置である場合には、第二位置から第一位置へ素早く駆動体２０（装飾部材２２）を移動させることが求められる。本実施形態における移動調整手段４０は、駆動体２０を常に第一位置の方向に付勢しているため、設置状態（遊技中）において、駆動体２０を第二位置から第一位置に移動させる際には駆動源３０の動力を補う構成として機能する。したがって、第二位置において演出動作が完了した後、駆動体２０（装飾部材２２）を素早く原位置である第一位置に戻すことができ、テンポのよい演出を提供できる。
【００７４】
一方、駆動体２０（装飾部材２２）を原位置から演出位置に移動させる場合は、駆動体２０（装飾部材２２）を素早く移動させると興趣に欠ける演出となってしまう（遊技者が気付かないうちに第二位置に駆動体２０（装飾部材２２）が移動してしまうなどの）おそれがある。これに対し、本実施形態では、駆動体２０（装飾部材２２）を常に第一位置の方向に付勢している移動調整手段４０を、原位置である第一位置から演出位置である第二位置に移動する駆動体２０（装飾部材２２）が任意の速度になるように駆動体２０（装飾部材２２）の移動速度を調整する構成としても機能させている。したがって、興趣ある駆動体２０（装飾部材２２）による演出を提供できる。
【００７５】
このように本実施形態における移動調整手段４０は、駆動体２０が第一位置以外の位置に位置した状態のまま放置されることを抑制する構成として働くだけでなく、遊技機１の演出効果を高める構成としても働く。
【００７６】
また、本実施形態では、移動調整手段４０の構成要素として駆動体２０を第一位置の方向に付勢する第一付勢部材４１および第二付勢部材４２を用いている。そして、設置状態時における駆動体２０の自重によって第一付勢部材４１および第二付勢部材４２にかかる力が、第一付勢部材４１および第二付勢部材４２の付勢力よりも大きく設定されているため、設置状態時において駆動体２０がその自重により第二位置の方向に移動してしまうことを抑制することができる。
【００７７】
また、例えば一の付勢部材によって駆動体２０を第一位置の方向に付勢する構成とすれば、駆動体２０の重心に付勢部材を接続しない限り、駆動体２０が傾いて移動したりするおそれがある。これに対し本実施形態では、駆動体２０は、その幅方向両側が固定体１０のガイド部１３に支持されるとともに、幅方向の右側が第一付勢部材４１によって付勢され、幅方向の左側が第二付勢部材４２によって付勢されている。つまり、駆動体２０は、その幅方向両側がガイドされ、かつ、両側が付勢部材４１、４２によって付勢された状態にあるから、所定状態においてスムーズに（傾いたり、がたついたりすることなく）第一位置に戻る。
【００７８】
また、移動調整手段４０を構成する第一付勢部材４１および第二付勢部材４２は、ともに伸縮方向が幅方向となるように、かつ、互いに幅方向で重なるように配置され、ワイヤや滑車（移動滑車１１４、１１６や固定滑車１１７、１１８）などを用いて付勢方向が上下方向に変換されている。そのため、第一付勢部材４１および第二付勢部材４２を上下方向に沿って配置した場合などと比較して、第一付勢部材４１および第二付勢部材４２の配置スペースが平面方向に小さくなる。
【００７９】
さらに、第一付勢部材４１および前記第二付勢部材４２は、第一位置に位置する駆動体２０と平面方向で重なるように配置されているため、駆動体２０および移動調整手段４０（第一付勢部材４１および第二付勢部材４２）の配置スペースが小さくなる（遊技機１の前後方向におけるスペースを有効に活用することができる）。
【００８０】
また、駆動源３０の動力がいわゆるラック＆ピニオンにより駆動体２０に伝達される構成であるため、所定状態において移動調整手段４０によって駆動体２０が勢いよく第一位置の方向に移動してしまうことが抑制される。すなわち、検査などにおいて駆動体２０が第一位置以外の位置に位置した状態のまま放置された場合、ラック１２２とピニオン３１の係合による抵抗によって駆動体２０はゆっくりと第一位置に戻るから、遊技機１を構成する部材の破損等を抑制することができる。
【００８１】
以上、本実施形態によれば、従来の構成では、作業によっては、例えば第二位置で作業を行った後、第一位置に位置させることが好ましい場合があるが、第二位置で作業を行った後、そのまま放置され、作業上不都合（手間が掛かったりミスが生じやすいなど）が生じるおそれがあったが、かかる問題の発生を抑制することが可能である。第一位置に位置することが好ましい作業として、組立作業や検査作業の後の出荷作業などが挙げられるが、これに限られるものではない。また、第一位置に位置することが好ましい場合とは、遊技状態時（例えば、設置状態時など）において収納位置などのあるべき位置にある場合や出荷時などにおいて駆動体などの遊技機の少なくとも一部が破損し難い位置、作業終了後にあるべき位置などが挙げられるが、これに限られるものではない。
【００８２】
以上、本発明の実施の形態について詳細に説明したが、本発明は上記実施の形態に何ら限定されるものではなく、本発明の要旨を逸脱しない範囲で種々の改変が可能である。
【符号の説明】
【００８３】
１        遊技機
２        センター役物装置
１０      固定体
１１      ベース部座
１２      駆動体誘導部材
１２１    ラック
１３      ガイド部
２０      駆動体（抑制手段）
２３      被ガイド部材
３０      駆動源
３１      ピニオン
４０      移動調整手段
４１      第一付勢部材
４２      第二付勢部材
【図１】
0005465769.tif 000002
【図２】
0005465769.tif 000003
【図３】
0005465769.tif 000004
【図４】
0005465769.tif 000005
【図５】
0005465769.tif 000006
【図６】
0005465769.tif 000007
【図７】
0005465769.tif 000008
【図８】
0005465769.tif 000009
【図９】
0005465769.tif 000010
【図１０】
0005465769.tif 000011
【図１１】
0005465769.tif 000012
【図１２】
0005465769.tif 000013
【図１３】
0005465769.tif 000014